【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
血管フィルタデバイスにおいて、
血管の壁に係合されるための支持体と、
フィルタ要素を備える、前記支持体上で支持されるフィルタであって、前記フィルタ要素が、前記支持体に接続される第１のセグメントと、濾過閉位置で前記フィルタ要素が血管の断面の少なくとも一部分を横断する場合に頂点で少なくとも一時的に抑制される第２のセグメントとを有する、フィルタと
を備え、
少なくとも１つのフィルタ要素が、拘束されない場合にデバイスの長手方向軸を基準として径方向外側に延在し、
少なくとも１つのフィルタ要素が、２つ以上のアームであって、各々が前記支持体に接続される第１のセグメントと少なくとも１つの他のアームに接続される第２のセグメントとを有する、２つ以上のアームを備える、血管フィルタデバイス。
【請求項２】
前記フィルタ要素が非拘束構成で径方向外側を向く凹形部分を備えるカーブ内を延在する、請求項１に記載の血管フィルタデバイス。
【請求項３】
前記フィルタ要素が、前記支持フレームに接続される２つの端部を備えるＶ形またはＹ形である、請求項１または２に記載の血管フィルタデバイス。
【請求項４】
前記フィルタ要素の円周方向の幅がその長さに沿って変化する、請求項１から３までのいずれか一項に記載の血管フィルタデバイス。
【請求項５】
前記フィルタ要素が前記濾過閉位置で生物分解性のホルダによって保持される、請求項１から４までのいずれか一項に記載の血管フィルタデバイス。
【請求項６】
前記ホルダが可撓性を有し、前記ホルダが圧縮送達構成にあるときに緩み、前記濾過閉位置では前記ホルダが緊張して平面構造を形成する、請求項５に記載の血管フィルタデバイス。
【請求項７】
前記第２のセグメントが一定の角度で前記第１のセグメントまで径方向外側に延在する、請求項１から６までのいずれか一項に記載の血管フィルタデバイス。
【請求項８】
前記フィルタ要素が、その遠位端のところにホルダを受けるための受けスペースを有する、請求項１から７までのいずれか一項に記載の血管フィルタデバイス。
【請求項９】
血管の壁に係合されるための支持体と、
１０ｍｍ未満、好適には７ｍｍ未満の長さを有する第１のセグメントと、第２のセグメントとを備え、前記フィルタ要素は、濾過閉位置で血管の断面の少なくとも一部分を横断するように一時的に抑制されるように配置される、少なくとも１つのフィルタ要素と
を備え、
前記フィルタ要素が拘束されない場合に径方向外側に延在し、
前記フィルタ要素が、拘束されない場合に、前記第１のセグメントに前記長手方向軸を基準として径方向内側に４５°から径方向外側に４５°の間の角度を有させるように、構成され、前記支持体および少なくとも１つのフィルタ要素が、拘束されない前記デバイスの直径が２０ｍｍから４０ｍｍの範囲内にある場合には前記フィルタ要素にその第２のセグメントのところで０．１Ｎから１．０Ｎの範囲の径方向外側の力を有させるように、構成され、前記支持体および少なくとも１つのフィルタ要素が、拘束されない前記デバイスの直径が２５ｍｍから３５ｍｍの範囲内にある場合には前記フィルタ要素にその第２のセグメントのところで０．１Ｎから０．４Ｎの範囲の径方向外側の力を有させるように、構成され、少なくとも１つのフィルタ要素が１５ｍｍから３０ｍｍ、より好適には１７ｍｍから２３ｍｍの範囲内の長さを有する、
請求項１から８までのいずれか一項に記載の血管フィルタデバイス。
【請求項１０】
少なくとも１つのフィルタ要素が非平坦な経路で径方向外側に延在する、請求項１から９までのいずれか一項に記載の血管フィルタデバイス。
【請求項１１】
フィルタ要素の少なくとも一部分が、血栓を突き破るときの抵抗を低減するための鋭利なセクションを有するように円周方向において狭まっている、請求項１から１０までのいずれか一項に記載の血管フィルタデバイス。
【請求項１２】
前記ホルダが前記フィルタ要素の第２のセグメントに係合される糸状体を備え、フィルタ要素の少なくともいくつかの第２のセグメントが円周方向で離間されるようになり、前記ホルダが、前記フィルタ要素の第２のセグメントの間に血流のための通路を形成する、請求項５または６に記載の血管フィルタデバイス。
【請求項１３】
前記ホルダ糸状体が、フィルタ要素の少なくともいくつかの第２の遠位側セグメント内のアイレットを通るように方向付けられ、前記ホルダ糸状体が１つのフィルタ要素上で結び目を作るように結合される、または、前記糸状体の両方の端部が個別の結び目を作るように結合され、各前記結び目が、フィルタ要素のアイレットを通して前記糸状体が引っ張られるのを防止する、請求項１２に記載の血管フィルタデバイス。
【請求項１４】
前記ホルダが、第１の要素で形成されたループと、前記ループを横切って延在する第２の糸状体とを備え、前記第２の糸状体が前記第１の糸状体と同じまたはより小さい断面積で形成される、請求項１２または１３に記載の血管フィルタデバイス。
【請求項１５】
前記ホルダが複数の糸状体または糸状体セグメントを備え、前記糸状体または前記糸状体セグメントの各々が前記フィルタ要素のサブセットを抑制する、請求項１２から１４までのいずれか一項に記載の血管フィルタデバイス。
【請求項１６】
前記支持体が、近位側支持体フープ及び遠位側支持体フープを備え、前記フィルタ要素が前記近位側支持体フープと前記遠位側支持体フープとの間を延在する、請求項１から１４までのいずれか一項に記載の血管フィルタデバイス。
【請求項１７】
前記フィルタ要素が、遠位側を向く近位側コーンと近位側を向く遠位側コーンとを有するダブル濾過コーン組立体を形成する、請求項１６に記載の血管フィルタデバイス。
【請求項１８】
前記フィルタ要素が、前記フィルタ要素の軸を中心とした捻じれ運動により開くように構成される、請求項１から１７までのいずれか一項に記載の血管フィルタデバイス。
【手続補正２】
【補正対象書類名】明細書
【補正対象項目名】０１５６
【補正方法】変更
【補正の内容】
【０１５６】
開示される実施形態のいずれも、永久的に濾過を行うための生体安定性のホルダ部材を装備することもできる。また、フィルタ頂点は、デバイスの長手方向軸を基準として、中央にあっても中央から外れていてもよい。また、デバイスがフィルタ要素の端部内のアイレットに係合されるホルダを有する場合、アイレットは閉じられていても、ホルダを挿入するための小さい隙間を有するように開いていてもよい。
（項目１）
血管フィルタデバイスであって
血管の壁に係合されるための支持体と、
フィルタ要素を備える、前記支持体上で支持されるフィルタであって、前記フィルタ要素が、前記支持体に接続される近位側セグメントと、濾過閉位置で前記フィルタ要素が血管の断面の少なくとも一部分を横断する場合に遠位側頂点のところで少なくとも一時的に抑制される遠位側セグメントとを有する、フィルタと
を備え、
少なくとも１つのフィルタ要素が、拘束されない場合にデバイスの長手方向軸を基準として径方向外側に延在する、血管フィルタデバイス。
（項目２）
前記フィルタ要素が非拘束構成で径方向外側を向く凹形部分を備えるカーブ内を延在する、項目１に記載の血管フィルタデバイス。
（項目３）
前記フィルタ要素が、前記支持フレームに接続される２つの端部を備えるＶ形である、項目１または２に記載の血管フィルタデバイス。
（項目４）
前記フィルタ要素が、前記支持フレームに接続される２つの端部を備えるＹ形である、項目１または２または３に記載の血管フィルタデバイス。
（項目５）
前記フィルタ要素の円周方向の幅がその長さに沿って変化する、項目１から４までのいずれか一項に記載の血管フィルタデバイス。
（項目６）
前記フィルタ要素が前記濾過閉位置でホルダによって保持される、項目１から５までのいずれか一項に記載の血管フィルタデバイス。
（項目７）
前記ホルダが生物分解性である、項目６に記載の血管フィルタデバイス。
（項目８）
前記ホルダが可撓性を有し、その結果、前記ホルダが圧縮送達構成にあるときに緩み、前記濾過閉位置では前記ホルダが緊張して平面構造を形成する、項目７に記載の血管フィルタデバイス。
（項目９）
前記フィルタ要素が圧縮送達プロフィールにおいて前記ホルダに力を加えることが防止され、また、前記濾過閉位置にあるとき、前記フィルタ要素が前記濾過開位置まで移動することが前記ホルダによって抑制され、それにより、前記ホルダが緩んだ状態から緊張した状態へと移行する、項目８に記載の血管フィルタデバイス。
（項目１０）
前記ホルダが、剛性であり、圧縮可能である、項目１から９までのいずれか一項に記載の血管フィルタデバイス。
（項目１１）
前記遠位側セグメントが一定の角度で前記近位側セグメントまで径方向外側に延在する、項目１から１０までのいずれか一項に記載の血管フィルタデバイス。
（項目１２）
０°の前記長手方向軸に沿う近位側から遠位側への方向のデータに基づき、非拘束状態で、前記遠位側セグメントが、前記デバイスの前記長手方向軸を基準として１°から９０°の間、より好適には５°から６０°の間、さらに好適には１０°から４５°の間の角度で径方向外側に延在する、項目１１に記載の血管フィルタデバイス。
（項目１３）
０°の前記長手方向軸に沿う近位側から遠位側への方向のデータに基づき、前記近位側セグメントが、６０°（径方向内側）から６０°（径方向外側）の間、好適には４５°（径方向内側）から４５°（径方向外側）の間、さらに好適には１５°（径方向内側）から１５°（径方向外側）の間の角度で延在し、組み合わされる前記近位側セグメントおよび前記遠位側セグメントが径方向外側に延在する、項目１１または１２に記載の血管フィルタデバイス。
（項目１４）
少なくとも１つのフィルタ要素が、その長さに沿って前記フィルタ要素の剛性を変化させる少なくとも１つの関節部分を有する、項目１から１３までのいずれか一項に記載の血管フィルタデバイス。
（項目１５）
少なくとも１つのフィルタ要素が、径方向内側の等しい部分を基準として径方向外側において減少する円周方向の幅を有する部分を有する、項目１から１４までのいずれか一項に記載の血管フィルタデバイス。
（項目１６）
少なくとも１つのフィルタ要素の前記遠位側セグメントが前記濾過閉位置で軸方向において捻じれており、その結果、前記フィルタ要素のより薄い部分が径方向外側を向き、前記デバイスを濾過開位置へと移行させるときに円周方向または径方向内側を向くように変化する、項目１から１５までのいずれか一項に記載の血管フィルタデバイス。
（項目１７）
Ｖ形またはＹ形のフィルタ要素が、フィルタ要素の部材を結合させるところに半径範囲を有するように構成される、項目１から１６までのいずれか一項に記載の血管フィルタデバイス。
（項目１８）
前記半径が０．５ｍｍから１０ｍｍの間、より好適には１ｍｍから５ｍｍの間、さらに好適には２ｍｍから４ｍｍの間である、項目１７に記載の血管フィルタデバイス。
（項目１９）
前記フィルタ要素が、その遠位端のところにホルダを受けるための受けスペースを有する、項目１から１８までのいずれか一項に記載の血管フィルタデバイス。
（項目２０）
前記受けスペースがアイレットである、項目１９に記載の血管フィルタデバイス。
（項目２１）
前記支持体が、近位側支持体フープ材と、遠位側支持体フープ材と、前記近位側支持体フープ材と前記遠位側支持体フープ材との間を延在するコネクタストラットとを有する、項目１から２０までのいずれか一項に記載の血管フィルタデバイス。
（項目２２）
前記近位側フープ材および前記遠位側フープ材が２個から１２個の間の近位側ピーク部分および遠位側ピーク部分を有し、前記フィルタ要素の数が１個から１６個の間、より好適には２個から１２個の間、さらに好適には４個から８個の間である、項目２１に記載の血管フィルタデバイス。
（項目２３）
少なくとも１つのフィルタ要素の前記遠位側セグメントが前記近位側セグメントを基準として径方向内側に延在する、項目１から２２までのいずれか一項に記載の血管フィルタデバイス。
（項目２４）
前記フィルタ要素の前記遠位側セグメントが中央頂点に向かって遠位側に延在し、その結果、血の塊を受けるための円錐形受けスペースがルーメンの中央に形成される、項目１から２３までのいずれか一項に記載の血管フィルタデバイス。
（項目２５）
前記フィルタ要素の前記遠位側セグメントが中央頂点に向かって近位側に延在し、その結果、血の塊を受けるための環状受けスペースが血管壁のところに形成される、項目１から２４までのいずれか一項に記載の血管フィルタデバイス。
（項目２６）
血管の壁に係合されるための支持体と、
１０ｍｍ未満、好適には７ｍｍ未満の長さを有する近位側セグメントと、遠位側セグメントとを備え、濾過閉位置で血管の断面の少なくとも一部分を横断するように一時的に抑制されるように構成される、少なくとも１つのフィルタ要素と
を備え、
前記フィルタ要素が拘束されない場合に径方向外側に延在し、
前記フィルタ要素が、拘束されない場合に、前記近位側セグメントに前記長手方向軸を基準として４５°（径方向内側）から４５°（径方向外側）の間の角度を有させるように、構成される、
項目１から２５までのいずれか一項に記載の血管フィルタデバイス。
（項目２７）
前記支持体が前記デバイスの長手方向軸にほぼ平行に延在するストラットを備え、前記フィルタ要素のうちの少なくとも１つのフィルタ要素がストラットのところで前記支持体に接続される、項目１から２６までのいずれか一項に記載の血管フィルタデバイス。
（項目２８）
少なくとも１つのフィルタ要素が、前記支持体に接続される近位側セグメントと、少なくとも１つの他のアームに接続される遠位側セグメントとを各々が有する２つ以上のアームを備える、項目１から２７までのいずれか一項に記載の血管フィルタデバイス。
（項目２９）
少なくとも１つのフィルタ要素が前記近位側セグメントと前記遠位側セグメントとの間に中間セグメントを備え、前記セグメントが、前記デバイスの長手方向軸を基準として前記要素をより大きい角度で外側に曲げる湾曲部分によって境界を画定される、項目１から２８までのいずれか一項に記載の血管フィルタデバイス。
（項目３０）
少なくとも１つのフィルタ要素が径方向内側の方向に次第に幅広となる断面形状を有するアームを備える、項目１から２９までのいずれか一項に記載の血管フィルタデバイス。
（項目３１）
前記アームがテーパ形状を有する、項目３０に記載の血管フィルタデバイス。
（項目３２）
前記アームが湾曲する外側表面を有する、項目３０または３１に記載の血管フィルタデバイス。
（項目３３）
前記支持体が血管壁に対して押圧されるように構成されるフープ材を備える、項目１から３２までのいずれか一項に記載の血管フィルタデバイス。
（項目３４）
前記支持体が、ストラットによって相互接続される近位側フープ材および遠位側フープ材を備える、項目３３に記載の血管フィルタデバイス。
（項目３５）
前記支持体および少なくとも１つのフィルタ要素が、拘束されない前記デバイスの直径が２０ｍｍから４０ｍｍの範囲内にある場合には前記フィルタ要素にその遠位セグメントのところで０．１Ｎから１．０Ｎの範囲の径方向外側の力を有させるように、構成される、項目１から３４までのいずれか一項に記載の血管フィルタデバイス。
（項目３６）
前記支持体および少なくとも１つのフィルタ要素が、拘束されない前記デバイスの直径が２５ｍｍから３５ｍｍの範囲内にある場合には前記フィルタ要素にその遠位セグメントのところで０．１Ｎから０．４Ｎの範囲の径方向外側の力を有させるように、構成される、項目２６から３５までのいずれか一項に記載の血管フィルタデバイス。
（項目３７）
少なくとも１つのフィルタ要素が１５ｍｍから３０ｍｍ、より好適には１７ｍｍから２３ｍｍの範囲内の長さを有する、項目１から３６までのいずれか一項に記載の血管フィルタデバイス。
（項目３８）
前記遠位側セグメントが、拘束されない場合、前記デバイスの長手方向軸を基準として９０°未満、好適には５０°未満、より好適には１０°から３０°の間の角度で径方向外側に延在する、項目１から３７までのいずれか一項に記載の血管フィルタデバイス。
（項目３９）
前記遠位側セグメントの長さが、１０ｍｍから４０ｍｍ、より好適には１５ｍｍから３０ｍｍ、さらに好適には１７ｍｍから２５ｍｍの範囲内にある、項目１から３８までのいずれか一項に記載の血管フィルタデバイス。
（項目４０）
前記近位側セグメントの長さが、２ｍｍから２０ｍｍ、より好適には３ｍｍから１５ｍｍ、さらに好適には５ｍｍから１０ｍｍの範囲内である、項目１から３９までのいずれか一項に記載の血管フィルタデバイス。
（項目４１）
前記フィルタ要素が、血管壁に接触するように配置されるときに、前記近位側セグメントと前記遠位側セグメントとの間のフィルタ要素の移行部分を径方向内側に突出させるように、構成される、項目１から４０までのいずれか一項に記載の血管フィルタデバイス。
（項目４２）
前記遠位側セグメントが前記フィルタ要素の残りの部分よりも十分に小さい断面を有し、それにより、血管壁に対して遠位側先端部またはアイレットに従わせるのを可能にするような追加の可撓性が前記遠位側セグメントにもたらされる、項目１から４１までのいずれか一項に記載の血管フィルタデバイス。
（項目４３）
少なくとも１つのフィルタ要素が前記フィルタ要素の長さに沿う異なるロケーションのところに関節部分を有するように形成され、前記関節部分が前記フィルタ要素に対してその長さに沿う可撓性を与え、その結果、前記フィルタ要素が不規則な血管の形状に従うことができるようになり、また、内皮増殖が最小である場合には、前記遠位側先端部により血管壁が穿孔されるリスクを低減するために遠位端が径方向内側に湾曲する、項目１から４２までのいずれか一項に記載の血管フィルタデバイス。
（項目４４）
膨張してヒートセットする前に前記デバイスを未加工管材料から切断する場合、前記関節部分が少なくとも１つのフィルタ要素材料の中でレーザ切断される、項目１から４３までのいずれか一項に記載の血管フィルタデバイス。
（項目４５）
前記フィルタ要素が、前記フィルタ要素を拘束するように作用する内皮増殖が起こる場合でも開くことができるような十分な大きさの径方向外側の力を有する、項目１から４４までのいずれか一項に記載の血管フィルタデバイス。
（項目４６）
少なくとも１つのフィルタ要素が、２５ｍｍ未満の長さ、前記フィルタ要素の先端部に向かって減少する壁厚、および、径方向において減少するフィルタ要素の幅、のうちの少なくとも１つを含む特性を有する、項目１から４５までのいずれか一項に記載の血管フィルタデバイス。
（項目４７）
前記デバイスが、回収するのを容易にするためのフックを備える、項目１から４６までのいずれか一項に記載の血管フィルタデバイス。
（項目４８）
前記デバイスが、複数の近位側ピーク部分および遠位側ピーク部分を備える湾曲ばね支持フレームを備える、項目１から４７までのいずれか一項に記載の血管フィルタデバイス。
（項目４９）
前記デバイスが、支持フレームに重ねることを必要とすることなく後の段階で第２のフィルタを配置するのを容易にするように適合される、項目１から４８までのいずれか一項に記載の血管フィルタデバイス。
（項目５０）
少なくともいくつかのフィルタ要素が近位側に延在する延長部分を備える、項目１から４９までのいずれか一項に記載の血管フィルタデバイス。
（項目５１）
前記支持体が近位側支持体フープ材および遠位側支持体フープ材を備え、前記延長部分が遠位側支持体フープ材の近位側ピーク部分から延在する、項目５０に記載の血管フィルタデバイス。
（項目５２）
前記デバイスが、前記フィルタの延長部分と前記フィルタ要素との間を延在する、折り畳み可能なフィルタばねを備える、項目５０または５１に記載の血管フィルタデバイス。
（項目５３）
前記フィルタ要素のうちの少なくともいくつかのフィルタ要素が螺旋状である、項目１から５２までのいずれか一項に記載の血管フィルタデバイス。
（項目５４）
開いた構成で、少なくともいくつかのフィルタ要素が近位側支持体と遠位側支持体との間を延在し、アイレットが前記フィルタ要素のほぼ中間で沿うように配置される、項目１から５３までのいずれか一項に記載の血管フィルタデバイス。
（項目５５）
前記デバイスが捻じれた遠位側支持体フープ材を備え、その結果、螺旋状のフィルタ要素の終端部が互いにより接近するように移動して中央頂点を形成し、この中央頂点のところで、前記フィルタ要素が定位置で保持される、項目１から５４までのいずれか一項に記載の血管フィルタデバイス。
（項目５６）
前記終端部がアイレットを有する、項目５５に記載の血管フィルタデバイス。
（項目５７）
少なくともいくつかのフィルタ要素が異なる長さを有し、その結果、それらの端部が互い違いとなり、それにより、ホルダ部材を挿入するためのルーメンが形成される、項目１から５６までのいずれか一項に記載の血管フィルタデバイス。
（項目５８）
少なくともいくつかのフィルタ要素がコネクタストラットに摺動可能に取り付けられる一方の端部を有し、もう一方の端部が固定され、それにより、ダブルコーンフィルタが形成される、項目１から５７までのいずれか一項に記載の血管フィルタデバイス。
（項目５９）
前記デバイスが近位側頂点を形成するように前記フィルタ要素の前記近位端に取り付けられる副フィルタ要素を備え、前記副フィルタ要素の遠位端が前記支持体に摺動可能に取り付けられる、項目１から５８までのいずれか一項に記載の血管フィルタデバイス。
（項目６０）
少なくともいくつかのフィルタ要素がばね状であり、前記支持体と頂点との間を延在し、その結果、移行時に前記ばねが前記頂点に径方向外側の力を加える、項目１から５９までのいずれか一項に記載の血管フィルタデバイス。
（項目６１）
前記フィルタ要素のうちの少なくともいくつかのフィルタ要素が平面から出るように湾曲する返しを有し、その結果、前記いくつかのフィルタ要素が濾過時に径方向内側に延在するようになり、また、移行後に凝血塊を保持するように構成される、項目１から６０までのいずれか一項に記載の血管フィルタデバイス。
（項目６２）
前記フィルタ要素のうちの少なくともいくつかのフィルタ要素が前記支持体から中央頂点に向かって遠位側に延在し、フィルタ要素の終端部が前記フィルタ要素の近位端の近位側の中央頂点のところに配置される、項目１から６１までのいずれか一項に記載の血管フィルタデバイス。
（項目６３）
前記フィルタ要素がホルダによって抑制され、少なくともいくつかのフィルタ要素が前記ホルダの位置を通過して延在する、項目１から６２までのいずれか一項に記載の血管フィルタデバイス。
（項目６４）
少なくともいくつかのフィルタ要素が長手方向軸を中心として捻じれており、その結果、開けられるときに前記フィルタ要素が捻じれ力を加えるようになる、項目１から６３までのいずれか一項に記載の血管フィルタデバイス。
（項目６５）
前記支持体が近位側支持体フープ材および遠位側支持体フープ材を備え、螺旋状またはステップ状のコネクタストラットが、互いからオフセットされる近位側支持体フープ材の遠位側ピーク部分と遠位側支持体フープ材の近位側ピーク部分との間を延在する、項目１から６４までのいずれか一項に記載の血管フィルタデバイス。
（項目６６）
少なくともいくつかのフィルタ要素が頂点に向かって渦巻き状に延在する、項目１から６５までのいずれか一項に記載の血管フィルタデバイス。
（項目６７）
少なくともいくつかのフィルタ要素がばねを有し、その結果、濾過閉位置から濾過開位置まで移動するとき前記フィルタ要素が短くなる、項目１から６６までのいずれか一項に記載の血管フィルタデバイス。
（項目６８）
前記支持体が近位側コイルおよび遠位側コイルを備え、前記近位側コイルおよび前記遠位側コイルが、前記近位側コイルの遠位端と前記遠位側コイルの近位端との間にある中央ブリッジと、前記近位側コイルおよび前記遠位側コイルのそれぞれの近位端と遠位端との間にある長手方向ストラットとにより、接合される、項目１から６７までのいずれか一項に記載の血管フィルタデバイス。
（項目６９）
中央ピーク部分が径方向内側に巻かれ、それにより濾過構成が形成され、前記デバイスが伸びることが前記コイル内の開口部を通って延在するホルダによって防止され、前記近位側コイルの少なくとも１つのコイルの近位側かつ前記遠位側コイルの少なくとも１つのコイルの遠位側に停止特徴部が設けられる、項目６８に記載の血管フィルタデバイス。
（項目７０）
前記ホルダが生物分解性である、項目６９に記載の血管フィルタデバイス。
（項目７１）
前記デバイスが回収のためのフックを有する、項目６８から７０までのいずれか一項に記載の血管フィルタデバイス。
（項目７２）
前記フィルタ要素がそれらの遠位端の近位側に開口部を有し、その結果、ホルダにより一体に保持されるときに前記遠位端が前記フィルタ要素を基準として径方向外側に湾曲するようになり、それにより、血管壁まで後退するのを補助するために開放時に解放されることになるエネルギーが蓄積される、項目１から７１までのいずれか一項に記載の血管フィルタデバイス。
（項目７３）
フィルタホルダが、流体力学を向上させるための近位側の方を向く円錐またはブルノーズを有する形状である、項目１から７２までのいずれか一項に記載の血管フィルタデバイス。
（項目７４）
フィルタの頂点を形成する前記フィルタ要素の前記端部のところに圧縮されるフープ材が含まれ、その結果、移行時に、前記フープ材が径方向に膨張し、血管壁に対して押圧するように前記フィルタ要素を径方向外側に移動させるための力を加える、項目１から７３までのいずれか一項に記載の血管フィルタデバイス。
（項目７５）
前記フィルタ要素が前記支持フレームから着脱可能である、項目１から７４までのいずれか一項に記載の血管フィルタデバイス。
（項目７６）
前記フィルタの頂点が、回収用カテーテルを使用して回収するのを容易にするためのスネアを受けるためのフックを有する、項目７５に記載の血管フィルタデバイス。
（項目７７）
前記フィルタが解放可能コネクタにより前記支持体に接続され、その結果、前記デバイスが受動的に開けられるように定位置に留まることが可能となるか、または、前記フィルタがさらなる介入により選択的に取り外され得るようになる、項目１から７６までのいずれか一項に記載の血管フィルタデバイス。
（項目７８）
少なくともいくつかのフィルタ要素がフィルタの頂点に向かって波形に延在する、項目１から７７までのいずれか一項に記載の血管フィルタデバイス。
（項目７９）
少なくともいくつかのフィルタ要素がフィルタの頂点の方に延在し、前記フィルタ要素から延在するストラットを有する、項目１から７８までのいずれか一項に記載の血管フィルタデバイス。
（項目８０）
少なくともいくつかのフィルタ要素がフィルタの頂点の方に延在し、１つまたは複数の濾過セルを形成する部材を有する、項目１から７９までのいずれか一項に記載の血管フィルタデバイス。
（項目８１）
少なくとも１つのフィルタ要素が非平坦な経路で径方向外側に延在する、項目１から８０までのいずれか一項に記載の血管フィルタデバイス。
（項目８２）
フィルタ要素の少なくとも一部分が、血栓を突き破るときの抵抗を低減するための鋭利なセクションを有するように円周方向において狭まっている、項目１から８１までのいずれか一項に記載の血管フィルタデバイス。
（項目８３）
前記ホルダが前記フィルタ要素の遠位側セグメントに係合される糸状体を備え、それにより、フィルタ要素の少なくともいくつかの遠位側セグメントが円周方向で離間されるようになる、項目６から９までのいずれか一項に記載の血管フィルタデバイス。
（項目８４）
前記ホルダが、前記フィルタ要素の遠位側セグメントの間に血流のための通路を形成する、項目８３に記載の血管フィルタデバイス。
（項目８５）
前記ホルダ糸状体が、フィルタ要素の少なくともいくつかの遠位側セグメント内のアイレットを通るように方向付けられる、項目８３または８４に記載の血管フィルタデバイス。
（項目８６）
前記ホルダ糸状体が、前記アイレットを少なくとも２回通るように方向付けられることにより複数のループを形成する、項目８５に記載の血管フィルタデバイス。
（項目８７）
前記ホルダ糸状体が１つのフィルタ要素上で結び目を作るように結合される、項目８３から８６までのいずれか一項に記載の血管フィルタデバイス。
（項目８８）
前記糸状体の一方または両方の端部が個別の結び目を作るように結合され、各前記結び目が、フィルタ要素のアイレットを通して前記糸状体が引っ張られるのを防止する、項目８３から８７までのいずれか一項に記載の血管フィルタデバイス。
（項目８９）
前記ホルダが、ループと、前記ループを横切って延在する糸状体とを備える、項目８４から８８までのいずれか一項に記載の血管フィルタデバイス。
（項目９０）
前記ループが第１の糸状体によって形成され、より小さい断面積を有する第２の糸状体が前記ループを横切って延在する、項目８９に記載の血管フィルタデバイス。
（項目９１）
前記ホルダが複数の糸状体または糸状体セグメントを備え、前記糸状体または前記糸状体セグメントの各々が前記フィルタ要素のサブセットを抑制する、項目８３から９０までのいずれか一項に記載の血管フィルタデバイス。
（項目９２）
前記ホルダが、フィルタ要素の遠位側セグメントの複数のサブセットの各々を１つのグループとして抑制する、項目８３から９１までのいずれか一項に記載の血管フィルタデバイス。
（項目９３）
血管の壁に係合されるための支持体と、
フィルタ要素を備える、前記支持体上で支持されるフィルタであって、前記フィルタ要素が、前記支持体に接続される近位側セグメントと、濾過閉位置で前記フィルタ要素が血管の断面の少なくとも一部分を横断する場合に遠位側頂点のところでホルダにより少なくとも一時的に抑制される遠位側セグメントとを有する、フィルタと
を備え、
前記ホルダが前記フィルタ要素の遠位側セグメントに係合される糸状体を備え、それにより、前記フィルタ要素の遠位側セグメントのうちの少なくともいくつかの遠位側セグメントが円周方向において離間される、
血管フィルタデバイス。